【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
第１の端子と、
第１の電流出力端子と、
第１の光電変換素子と、
第１の検出手段と、
第１のフィードバック手段と、
電流供給手段とを有し、
前記第１の端子は、前記第１の光電変換素子と、前記第１の検出手段と、前記第１のフィードバック手段と、前記電流供給手段とに接続され、
前記第１のフィードバック手段は、さらに前記第１の電流出力端子に接続され、
前記第１の光電変換素子は、光電変換により電流を前記第１の端子に出力し、
前記第１の検出手段は、前記第１の端子の電位に基づく電位を前記第１のフィードバック手段に出力し、
前記第１のフィードバック手段は、前記第１の端子の電位に基づく電位を前記第１の端子にフィードバックし、前記第１の光電変換素子が出力する電流に基づく電流を前記第１の電流出力端子に出力し、
前記電流供給手段は、前記第１の端子へ電流を供給することを特徴とする光電変換装置。
【請求項２】
前記第１の光電変換素子は、第１のフォトダイオードであり、
前記第１の端子は、前記第１のフォトダイオードのアノードに接続され、
前記第１の検出手段は、第１の電界効果トランジスタ及び第１の電流源を有し、
前記第１のフィードバック手段は、第１のバイポーラトランジスタ及び第２の電界効果トランジスタを有し、
前記第１のフォトダイオードのアノードは、前記第１の電界効果トランジスタのゲート及び前記第１のバイポーラトランジスタのベースに接続され、
前記第１の電界効果トランジスタは、ドレインが前記第１の電流源に接続され、
前記第２の電界効果トランジスタは、ソースが前記第１のバイポーラトランジスタのエミッタに接続され、ゲートが前記第１の電界効果トランジスタのドレインに接続され、ドレインが前記第１の電流出力端子に接続されることを特徴とする請求項１記載の光電変換装置。
【請求項３】
前記電流供給手段は、第１の期間には第１の電流値の電流を前記第１の端子に供給し、第２の期間には前記第１の電流値より小さい第２の電流値の電流を前記第１の端子に供給する又は電流を供給しないことを特徴とする請求項１又は２記載の光電変換装置。
【請求項４】
前記第１の期間は、画素信号を生成する期間であり、
前記第２の期間は、照度の検出を行う期間であることを特徴とする請求項３記載の光電変換装置。
【請求項５】
前記第１の期間は、電源投入後の一定期間であり、
前記第２の期間は、前記第１の期間の後の期間であることを特徴とする請求項３記載の光電変換装置。
【請求項６】
前記第１の光電変換素子、前記第１の検出手段、前記第１のフィードバック手段及び前記電流供給手段の組みが複数設けられ、
複数の前記第１の光電変換素子は、第１の導電型の光電変換領域と、前記第１の導電型と逆の導電型である第２の導電型の領域を交互に複数積層することにより、深さ方向に積層されることを特徴とする請求項１又は２記載の光電変換装置。
【請求項７】
複数の前記電流供給手段のうちの一の電流供給手段は、少なくとも他の一の電流供給手段とは異なる電流値の電流を供給することを特徴とする請求項６記載の光電変換装置。
【請求項８】
さらに、前記第１の電流出力端子の電流を検出する電流検出手段を有し、
前記電流供給手段は、前記電流検出手段により検出される電流に応じて供給する電流値が変わることを特徴とする請求項１又は２記載の光電変換装置。
【請求項９】
前記第１の光電変換素子、前記第１の検出手段、前記第１のフィードバック手段及び前記電流供給手段の組みが複数設けられ、
さらに、複数の前記第１の電流出力端子の電流のうちの最小値の電流を検出する最小電流検出手段を有し、
複数の前記電流供給手段は、前記最小電流検出手段により検出される最小値の電流に応じて供給する電流値が変わることを特徴とする請求項１又は２記載の光電変換装置。
【請求項１０】
前記電流供給手段は、
第２の端子と、
光電変換により電流を前記第２の端子に出力可能な第２の光電変換素子と、
前記第２の端子の電位を検出する第２の検出手段と、
前記第２の検出手段により検出された電位に基づく信号を前記第２の端子にフィードバックし、前記第２の端子の電位に基づく電流を第２の電流出力端子に出力する第２のフィードバック手段と、
前記第２の光電変換素子で発生する電流を用いて前記第１の端子へ電流を出力する電流加算手段と
を有することを特徴とする請求項１記載の光電変換装置。
【請求項１１】
前記第２の光電変換素子は、第２のフォトダイオードであり、
前記第２の検出手段は、第３の電界効果トランジスタ及び第３の電流源を有し、
前記第２のフィードバック手段は、第２のバイポーラトランジスタ及び第４の電界効果トランジスタを有し、
前記第２の端子は、前記第３の電界効果トランジスタのゲート及び前記第２のバイポーラトランジスタのベースに接続され、
前記第３の電界効果トランジスタは、ドレインが前記第３の電流源に接続され、
前記第４の電界効果トランジスタは、ソースが前記第２のバイポーラトランジスタのエミッタに接続され、ゲートが前記第３の電界効果トランジスタのドレインに接続され、ドレインが前記第２の電流出力端子に接続されることを特徴とする請求項１０記載の光電変換装置。
【請求項１２】
前記第２の光電変換素子は、第２のフォトダイオードであり、
前記第２の検出手段は、第３の電界効果トランジスタ及び第３の電流源を有し、
前記第２のフィードバック手段は、第４の電界効果トランジスタを有し、
前記第２の端子は、前記第３の電界効果トランジスタのゲート及び前記第４の電界効果トランジスタのソースに接続され、
前記第３の電界効果トランジスタは、ドレインが前記第３の電流源に接続され、
前記第４の電界効果トランジスタは、ゲートが前記第３の電界効果トランジスタのドレインに接続され、ドレインが前記第２の電流出力端子に接続されることを特徴とする請求項１０記載の光電変換装置。
【請求項１３】
前記電流加算手段は、第５の電界効果トランジスタ及び第６の電界効果トランジスタを有し、
前記第５の電界効果トランジスタは、ドレインが前記第２の端子に接続され、ソースが前記第２のフォトダイオードのアノードに接続され、
前記第６の電界効果トランジスタは、ドレインが前記第１の光電変換素子である第１のフォトダイオードのアノードに接続され、ソースが前記第２のフォトダイオードのアノードに接続されることを特徴とする請求項１０記載の光電変換装置。
【請求項１４】
前記電流加算手段は、前記第２の光電変換素子で発生する電流を増幅して、前記第１の端子へ電流を出力する電流を生成する電流増幅手段を有することを特徴とする請求項１１記載の光電変換装置。
【請求項１５】
前記電流増幅手段は、カレントミラー回路を有し、前記カレントミラー回路は、電圧バッファを有することを特徴とする請求項１４記載の光電変換装置。
【請求項１６】
前記第１及び第２の光電変換素子は、第１の導電型の光電変換領域と、前記第１の導電型と逆の導電型である第２の導電型の領域を交互に複数積層することにより、深さ方向に積層されることを特徴とする請求項１３〜１５のいずれか１項に記載の光電変換装置。
【請求項１７】
前記第２の光電変換素子の感度は、前記第１の光電変換素子の感度よりも高いことを特徴とする請求項１４又は１５記載の光電変換装置。
【請求項１８】
前記第２の端子に付随する容量は、前記第１の端子に付随する容量より小さいことを特徴とする請求項１４又は１５記載の光電変換装置。
【請求項１９】
前記第１の電流出力端子から得られる電流に基づいた信号と前記第２の電流出力端子から得られる電流に基づいた信号を用いて、差分処理を行うことを特徴とする請求項１４又は１５記載の光電変換装置。
【手続補正２】
【補正対象書類名】明細書
【補正対象項目名】０００５
【補正方法】変更
【補正の内容】
【０００５】
本発明の光電変換装置は、第１の端子と、第１の電流出力端子と、第１の光電変換素子と、第１の検出手段と、第１のフィードバック手段と、電流供給手段とを有し、前記第１の端子は、前記第１の光電変換素子と、前記第１の検出手段と、前記第１のフィードバック手段と、前記電流供給手段とに接続され、前記第１のフィードバック手段は、さらに前記第１の電流出力端子に接続され、前記第１の光電変換素子は、光電変換により電流を前記第１の端子に出力し、前記第１の検出手段は、前記第１の端子の電位に基づく電位を前記第１のフィードバック手段に出力し、前記第１のフィードバック手段は、前記第１の端子の電位に基づく電位を前記第１の端子にフィードバックし、前記第１の光電変換素子が出力する電流に基づく電流を前記第１の電流出力端子に出力し、前記電流供給手段は、前記第１の端子へ電流を供給することを特徴とする。
【手続補正３】
【補正対象書類名】明細書
【補正対象項目名】０００６
【補正方法】変更
【補正の内容】
【０００６】
電流供給手段によって電流を第１の端子に供給することにより、光応答特性の良い光電変換装置を提供することができる。